(57)【特許請求の範囲】
【請求項１】
複数の走査ラインおよび信号ラインの交点近傍に、マトリクス状に配列された複数の液晶画素を有する液晶表示パネルに画像を表示するための駆動信号を送出する液晶駆動装置において、
前記液晶駆動装置は、
所定のスタート信号を順次シフトして、所定のタイミングで前記走査ラインに印加される走査信号の元となる選択信号を生成、出力するシフトレジスタと、前記シフトレジスタから出力される前記選択信号を、第１の制御信号に基づいて、前記液晶表示パネルを水平方向に上下に分割した上側の第１の表示領域の前記走査ラインに前記走査信号として印加する第１のゲート回路と、を有して構成される第１の駆動信号生成手段と、
前記シフトレジスタと、前記シフトレジスタから出力される前記選択信号を、第２の制御信号に基づいて、前記液晶表示パネルを水平方向に上下に分割した下側の第２の表示領域の前記走査ラインに前記走査信号として印加する第２のゲート回路と、を有して構成される第２の駆動信号生成手段と、
を備え、
前記第２の表示領域に前記画像の一部分を表示するために前記走査信号を印加しつつ、前記第１の表示領域に含まれ、かつ、前記画像が表示されない領域に、予め設定された帯画像を表示するための前記選択信号を前記第１のゲート回路に、前記第１の制御信号によって、前記走査ラインには前記走査信号を出力しない状態で出力することを特徴とする液晶駆動装置。
【請求項２】
前記液晶表示パネルは、３：４のアスペクト比を有し、
前記液晶表示パネルに表示される前記画像は、９：１６のアスペクト比を有していることを特徴とする請求項１に記載の液晶駆動装置。
【請求項３】
複数の走査ラインおよび信号ラインの交点近傍に、マトリクス状に配列された複数の液晶画素を有する液晶表示パネルに画像を表示するための駆動信号を送出する液晶駆動装置の駆動方法において、
前記液晶表示パネルを水平方向に上下に分割した第１の表示領域または第２の表示領域のいずれか一方の領域に前記画像の一部分を表示するための走査をするステップと、
前記走査をするステップと同時に、前記第１の表示領域または第２の表示領域の他方の領域に含まれ、かつ、前記画像が表示されない領域に、予め設定された帯画像を表示するための選択信号を準備するステップと、
前記選択信号に基づいて、前記帯画像を表示するための走査をするステップと、
を有することを特徴とする液晶駆動装置の駆動方法。
【発明の詳細な説明】
【０００１】
【発明の属する技術分野】
本発明は、液晶駆動装置およびその駆動方法に関し、特に、ビデオ信号に基づいて表示する映像が液晶表示パネルの画面より横長の場合に、液晶表示パネルの上下領域に黒帯を表示する液晶駆動装置およびその駆動方法に関する。
【０００２】
【従来の技術】
近年、コンピュータ等の情報端末や映像機器のモニタやディスプレイとして、従来のブラウン管（ＣＲＴ）に替えて、薄型、省スペース、省電力等の特徴を有する液晶表示装置（Liquid Crystal Display；ＬＣＤ）が多用されるようになってきている。
一方、放送技術の分野においては、通常のＮＴＳＣ（National Television System Committee）方式のアスペクト比（縦横比）３：４のテレビジョン画像よりも横長のアスペクト比９：１６を有する、いわゆる、ワイドテレビジョン用の画像（以下、「ワイド画像」という）が広く使用されるようになってきている。
【０００３】
このようなワイド画像を、ＮＴＳＣ方式に対応したアスペクト比３：４を有する液晶表示パネルを備えたテレビジョンに表示する場合、たとえば、図６（ａ）に示すように、ワイド画像Ｇｗのアスペクト比９：１６を保持したまま、液晶表示パネル１１０の画面幅に合わせて画像サイズを圧縮して、画面の中央領域に表示するとともに、ワイド画像Ｇｗの上方および下方に、画像が表示されない黒色の上部黒帯Ｂｕおよび下部黒帯Ｂｄを表示させていた。
【０００４】
具体的には、図６（ｂ）に示すように、走査ラインがＸ１〜Ｘ２４０の２４０本から構成される液晶表示パネル１１０の場合にあっては、ワイド画像Ｇｗの表示領域として、走査ラインＸ３１〜Ｘ２１０の１８０ラインが設定され、また、上部黒帯Ｂｕおよび下部黒帯Ｂｄの表示領域として、ワイド画像Ｇｗの上方および下方の走査ラインＸ１〜Ｘ３０およびＸ２１１〜Ｘ２４０の各々３０ライン（合計６０ライン）が設定される。なお、以下の説明では、図６（ｂ）に示した設定により、液晶表示パネル１１０にワイド画像Ｇｗ、上部黒帯Ｂｕおよび下部黒帯Ｂｄを表示するものとして説明する。
【０００５】
次いで、上述したような液晶表示パネルを表示駆動するための液晶駆動装置について簡単に説明した後、ワイド画像の表示駆動方法について説明する。
図７に示すように、液晶駆動装置は、概略、液晶表示パネル１１０の列方向に配置されたソースドライバ１２０と、行方向に配置されたゲートドライバ（走査ドライバ）１３０とを有して構成されている。なおソースドライバ１２０およびゲートドライバ１３０以外の他の構成については、後述する。
【０００６】
液晶表示パネル１１０は、マトリクス状に配置され、画素電極、および、画素電極に対向して配置された共通電極（コモン電極：図示を省略コモン電圧Ｖcom）、画素電極と共通電極の間に充填された液晶からなる液晶容量Ｃlc、画素電極にソースが接続された薄膜トランジスタ（Thin Film Transistor；以下、画素トランジスタと記す）ＴＦＴ、液晶容量Ｃlcに並列に形成された蓄積容量Ｃｓとを有して構成された複数の液晶画素１１１と、マトリクスの行方向に延伸し、複数の画素トランジスタＴＦＴのゲートに接続されたゲートライン（走査ライン）Ｌｇと、マトリクスの列方向に延伸し、複数の画素トランジスタＴＦＴのドレインに接続された信号ライン（データライン）Ｌｄと、を備え、ソースドライバ１２０およびゲートドライバ１３０により選択される液晶画素１１１に信号電圧を印加することにより、液晶の配列を制御して所定の画像情報を表示出力する。
【０００７】
ソースドライバ１２０は、概略、Ｒ、Ｇ、Ｂ画像信号が入力されるサンプルホールド回路１２２と、サンプルホールド回路１２２のサンプルホールド動作を制御するシフトレジスタ１２１と、を有して構成され、水平制御信号に基づいて、シフトレジスタ１２１により一定方向にシフトして出力されたサンプルホールド回路制御信号が、サンプルホールド回路２２に順次印加されることにより、Ｒ、Ｇ、Ｂ画像信号（アナログＲＧＢ）に対応した信号電圧が、液晶表示パネル１１０の各信号ラインＬｄを介して各画素電極に供給される。
【０００８】
一方、ゲートドライバ１３０は、概略、シフトレジスタ１３１とバッファ１３２と、を有して構成され、垂直制御信号に基づいて、シフトレジスタ１３１により所定の方向にシフトして出力された制御信号（選択信号）が、バッファ１３２を介して、所定のゲート信号（走査信号）として液晶表示パネル１１０の各ゲートラインＬｇに印加されることにより、各画素トランジスタＴＦＴが駆動制御され、上記ソースドライバ１２０により各信号ラインＬｄに印加された信号電圧が、画素トランジスタＴＦＴを介して、各画素電極に印加される。
【０００９】
ここで、従来の液晶駆動装置に適用されるゲートドライバ１３０の具体回路構成は、図８に示すように、直列に接続され、共通のゲートパルスクロックＧＰＣＫが入力されることにより、単一のゲートスタート信号ＧＳＲＴを順次後段にシフトさせつつ、各ゲートライン毎に選択信号（シフトパルス信号）を出力する複数のフリップフロップ回路Ｆ／Ｆ１、Ｆ／Ｆ２、・・・Ｆ／Ｆ２４０と、単一の出力イネーブル信号（「ゲートリセット信号」ともいう）ＧＲＥＳに基づいて、各ゲートラインＸ１〜Ｘ２４０への選択信号の印加状態を制御する複数の論理ゲート（ＡＮＤゲート）ＡＮＤ１、ＡＮＤ２、・・・ＡＮＤ２４０とを備えた構成を有している。
【００１０】
なお、図示を省略したが、シフトレジスタを構成する複数のフリップフロップ回路Ｆ／Ｆ１、Ｆ／Ｆ２、・・・Ｆ／Ｆ２４０は、後述するように、フリップフロップ回路Ｆ／Ｆ１、Ｆ／Ｆ２、Ｆ／Ｆ３、・・・の順に一定方向（順方向）にゲートスタート信号ＧＳＲＴをシフトする機能、および、フリップフロップ回路Ｆ／Ｆ２４０、Ｆ／Ｆ２３９、Ｆ／Ｆ２３８、・・・の順に反転方向（逆方向）にゲートスタート信号ＧＳＲＴをシフトする機能を備え、画像の表示駆動処理中に適宜切り換え制御される。
【００１１】
次いで、上述したような構成を有する液晶駆動装置におけるワイド画像の表示駆動方法について、図面を参照して説明する。ここでは、上述したゲートドライバの構成（図８）を適宜参照しながら説明する。
＜ステップＳ１０１＞
上述したような構成を有するゲートドライバ１３０において、まず、出力イネーブル信号ＧＲＥＳをアクティブレベル（ローレベル）に切り換え、保持した状態で、フリップフロップ回路Ｆ／Ｆ１の入力端子ＩＮにゲートスタート信号ＧＳＲＴを入力し、フリップフロップ回路Ｆ／Ｆ１、Ｆ／Ｆ２、・・・により、ゲートパルスクロックＧＰＣＫのタイミングに基づいて順次シフトしつつ、選択信号を各論理ゲートＡＮＤ１、ＡＮＤ２、・・・に出力して、図９（ａ）、（ｂ）に示すように、ゲートラインＸ１からＸ３１までを順次選択状態にする。ここで、ステップＳ１０１において、選択信号を出力するためにフリップフロップ回路Ｆ／Ｆ１、Ｆ／Ｆ２、・・・により実行されるシフト動作は３１回になる。
【００１２】
＜ステップＳ１０２＞
次いで、ゲートラインＸ３１が選択状態になるタイミングで、出力イネーブル信号ＧＲＥＳをオフレベル（ハイレベル）に切り換えるとともに、ソースドライバ１２０を介して、アスペクト比９：１６の画像信号に基づく信号電圧を各信号ラインに印加する。
これにより、論理ゲートＡＮＤ３１から走査信号がゲートラインＸ３１に印加され、信号ラインに印加された信号電圧が、ゲートラインＸ３１に接続された液晶画素に供給され、ワイド画像Ｇｗの第１行目の画像信号が書き込まれ表示される。
【００１３】
そして、出力イネーブル信号ＧＲＥＳをオフレベル（ハイレベル）に保持した状態で、ゲートラインＸ３１からＸ２１０までを順方向に順次シフトしながら選択して走査信号を印加しつつ、ソースドライバ１２０により各ゲートライン毎に画像信号に基づく信号電圧を印加することにより、図９（ｃ）に示すように、ワイド画像Ｇｗを順次表示する。
そして、ワイド画像Ｇｗの表示が終了したタイミングで、フリップフロップ回路Ｆ／Ｆ１、Ｆ／Ｆ２、・・・にリセット信号ＲＥＳＥＴを入力することにより、シフト動作をリセットするとともに、出力イネーブル信号ＧＲＥＳをアクティブレベル（ローレベル）に切り換えることにより、各ゲートラインへの走査信号の印加を遮断して選択状態をリセットする。
【００１４】
＜ステップＳ１０３＞
次いで、出力イネーブル信号ＧＲＥＳをオフレベル（ハイレベル）に切り換え、保持した状態で、ゲートパルスクロックＧＰＣＫの１ラインおきのタイミングで、フリップフロップ回路Ｆ／Ｆ１の入力端子ＩＮにゲートスタート信号ＧＳＲＴを入力し、フリップフロップ回路Ｆ／Ｆ１、Ｆ／Ｆ２、・・・により、ゲートパルスクロックＧＰＣＫのタイミングに基づいて順次シフトして、１ラインおきに選択信号を論理ゲートＡＮＤ２、ＡＮＤ４、・・・に出力して、図９（ｄ）に示すように、ゲートラインＸ１からＸ３０までの偶数ライン（Ｘ２、Ｘ４、Ｘ６、・・・、Ｘ３０の１５本）のみを選択して、走査信号を印加するとともに、ソースドライバ１２０を介して、上部黒帯Ｂｕの画像信号（黒色信号）に基づく信号電圧を各信号ラインに印加する。
【００１５】
これにより、ゲートラインＸ１からＸ３０までの上部黒帯Ｂｕ領域において、偶数ラインに接続された液晶画素に黒データが書き込まれる。ここで、ステップＳ１０３において、このゲートラインＸ１からＸ３０までの上部黒帯Ｂｕ領域において選択されるゲートラインは、偶数ラインの１５本のみであるが、選択信号を出力するためにフリップフロップ回路Ｆ／Ｆ１、Ｆ／Ｆ２、・・・により実行されるシフト動作は３０回になる。
【００１６】
＜ステップＳ１０４＞
次いで、出力イネーブル信号ＧＲＥＳをオフレベル（ハイレベル）に保持した状態で、ゲートラインＸ１からＸ３０までの偶数ライン（Ｘ２、Ｘ４、Ｘ６、・・・、Ｘ３０）に対して、フリップフロップ回路Ｆ／Ｆ１、Ｆ／Ｆ２、・・・を逆方向に一括して１回シフトすることにより、図１０（ａ）に示すように、ゲートラインＸ１からＸ３０までの奇数ライン（Ｘ１、Ｘ３、Ｘ５、・・・、Ｘ２９の１５本）のみを選択して、走査信号を印加するとともに、ソースドライバ１２０を介して、上部黒帯Ｂｕの画像信号（黒色信号）に基づく信号電圧を各信号ラインに印加する。
【００１７】
これにより、ゲートラインＸ１からＸ３０までの上部黒帯Ｂｕ領域において、奇数ラインに接続された液晶画素に黒データが書き込まれる。ここで、ステップＳ１０４において、このゲートラインＸ１からＸ３０までの上部黒帯Ｂｕ領域において選択されるゲートラインは、奇数ラインの１５本であるが、選択信号を出力するためにフリップフロップ回路Ｆ／Ｆ１、Ｆ／Ｆ２、・・・により実行されるシフト動作は１回のみとなる。
したがって、上述した偶数ラインの１５本に加えて、奇数ラインの１５本のゲートラインにも黒データが書き込まれることになるので、液晶表示パネル１１０の上部黒帯Ｂｕ領域の全域（ゲートラインＸ１からＸ３０）が黒表示される。
【００１８】
そして、奇数ラインに接続された液晶画素に黒データが書き込まれたタイミングで、出力イネーブル信号ＧＲＥＳをアクティブレベル（ローレベル）に切り換えることにより、各ゲートラインへの走査信号の印加を遮断して選択状態をリセットする。
【００１９】
＜ステップＳ１０５＞
次いで、出力イネーブル信号ＧＲＥＳをオフレベル（ハイレベル）に保持した状態で、ゲートパルスクロックＧＰＣＫの１ラインおきのタイミングで、フリップフロップ回路Ｆ／Ｆ２４０の入力端子ＩＮにゲートスタート信号ＧＳＲＴを入力し、フリップフロップ回路Ｆ／Ｆ２４０、Ｆ／Ｆ２３９、・・・により、ゲートパルスクロックＧＰＣＫのタイミングに基づいて逆方向に順次シフトして、１ラインおきに選択信号を論理ゲートＡＮＤ２３９、ＡＮＤ２３７、・・・に出力して、図１０（ｂ）に示すように、ゲートラインＸ２４０からＸ２１１までの奇数ライン（Ｘ２３９、Ｘ２３７、Ｘ２３５、・・・、Ｘ２１１の１５本）のみを選択して、走査信号を印加するとともに、ソースドライバ１２０を介して、下部黒帯Ｂｄの画像信号（黒色信号）に基づく信号電圧を各信号ラインに印加する。ここで、この奇数ラインの選択動作に同期して、選択状態に保持されていたゲートラインＸ１からＸ３０に印加された走査信号を、逆方向（ラインＸ３０からＸ１方向）に順次吐き出してリセットする。
【００２０】
これにより、ゲートラインＸ２１１からＸ２４０までの下部黒帯Ｂｄ領域において、奇数ラインに接続された液晶画素に黒データが書き込まれる。ここで、ステップＳ１０５において、このゲートラインＸ２１１からＸ２４０までの下部黒帯Ｂｄ領域において選択されるゲートラインは、奇数ラインの１５本のみであるが、選択信号を出力するためにフリップフロップ回路Ｆ／Ｆ２４０、Ｆ／Ｆ２３９、・・・により実行されるシフト動作は３０回になる。
【００２１】
＜ステップＳ１０６＞
次いで、出力イネーブル信号ＧＲＥＳをオフレベル（ハイレベル）に保持した状態で、ゲートラインＸ２４０からＸ２１１までの奇数ライン（Ｘ２３９、Ｘ２３７、Ｘ２３５、・・・、Ｘ２１１）に対して、フリップフロップ回路Ｆ／Ｆ２４０、Ｆ／Ｆ２３９、・・・を順方向に一括して１回シフトすることにより、図１０（ｃ）に示すように、ゲートラインＸ２１１からＸ２４０までの偶数ライン（Ｘ２１２、Ｘ２１４、Ｘ２１６、・・・、Ｘ２４０の１５本）のみを選択して、走査信号を印加するとともに、ソースドライバ１２０を介して、下部黒帯Ｂｄの画像信号（黒色信号）に基づく信号電圧を各信号ラインに印加する。
【００２２】
これにより、ゲートラインＸ２１１からＸ２４０までの下部黒帯Ｂｄ領域において、偶数ラインに接続された液晶画素に黒データが書き込まれる。ここで、ステップＳ１０６において、このゲートラインＸ２１１からＸ２４０までの下部黒帯Ｂｄ領域において選択されるゲートラインは、偶数ラインの１５本であるが、選択信号を出力するためにフリップフロップ回路Ｆ／Ｆ２１１、Ｆ／Ｆ２１２、・・・により実行されるシフト動作は１回のみとなる。
【００２３】
したがって、上述した奇数ラインの１５本に加えて、偶数ラインの１５本のゲートラインにも黒データが書き込まれることになるので、液晶表示パネル１１０の下部黒帯Ｂｄ領域の全域（ゲートラインＸ２１１からＸ２４０）が黒表示される。
そして、偶数ラインに接続された液晶画素に黒データが書き込まれたタイミングで、出力イネーブル信号ＧＲＥＳをアクティブレベル（ローレベル）に切り換えることにより、各ゲートラインへの走査信号の印加を遮断して選択状態をリセットする。
【００２４】
なお、ステップ１０３において各信号ラインに印加される信号電圧の極性と、ステップ１０４において各信号ラインに印加される信号電圧の極性と、を互いに逆極性にするとともに、ステップ１０５において各信号ラインに印加される信号電圧の極性と、ステップ１０６において各信号ラインに印加される信号電圧の極性と、を互いに逆極性として、上部黒帯Ｂｕ領域及び下部黒帯Ｂｄ領域において、フリッカーの発生を低減するように駆動している。
【００２５】
以上の一連の表示駆動処理Ｓ１０１〜Ｓ１０６は所定の期間を一周期として繰り返し実行されるが、上記表示駆動処理のうち、ワイド画像Ｇｗが表示されない帰線期間中に、上部黒帯Ｂｕおよび下部黒帯Ｂｄの黒帯表示を行う必要がある。なお、一連の表示駆動処理において、ステップＳ１０１においてゲートラインＸ１を選択する際のシフト動作と、ステップＳ１０６においてゲートラインＸ２１１からＸ２４０の偶数ラインを選択する際のシフト動作とは、同時に行うことができる。また、ステップＳ１０４においてゲートラインＸ１からＸ３０の奇数ラインを選択する際のシフト動作と、ステップＳ１０５においてゲートラインＸ２１１からＸ２４０を選択する際の最初のシフト動作は、同時に行うことができる。
【００２６】
したがって、上述した一連の表示駆動処理を実行することにより、ステップＳ１０１におけるシフト動作と、ステップＳ１０６におけるシフト動作を同時に行った場合、帰線期間中に上部黒帯Ｂｕ領域および下部黒帯Ｂｄ領域のゲートラインを表示駆動するために必要となるシフト動作は、９２回（＝１＋３０＋３０＋１＋３０）となり、このシフト動作に対応した数のゲートパルスクロックＧＰＣＫ（シフトクロック）が供給される。
【００２７】
【発明が解決しようとする課題】
上述したように、従来のワイド画像の表示駆動方法においては、極めて短い帰線期間内に、上部および下部黒帯を表示駆動するためのシフト動作を９２回も実行する必要があったため、ゲートドライバに供給されるシフトクロックの周波数を大幅に高くしなければならなかった。そのため、以下に示すような、問題を有していた。
【００２８】
（１）シフトクロックの周波数を高く保持するためには、クロックラインのインピーダンスを低くする必要があるが、そのためには、クロックラインの配線幅を大きく（太く）する必要があり、ゲートドライバの集積化に際し、装置規模を十分に小型化することができないという問題を有していた。
（２）また、シフトクロックを出力するためのバッファ回路（図示を省略）を、高周波化に合わせて大きくする必要があるため、液晶駆動装置の小型化が困難になるという問題を有していた。
（３）さらに、シフトクロックの高周波化に伴って、消費電力が増大するという問題を有していた。
【００２９】
そこで、本発明は、このような問題点に鑑み、液晶表示パネルにワイド画像の表示に伴って設定される黒帯を表示する場合に、走査ドライバのシフトクロックの周波数を低減し、もって、装置規模の小型化（集積化）および消費電力の低減を図ることができる液晶駆動装置およびその駆動方法を提供することを目的とする。
【００３０】
【課題を解決するための手段】
請求項１記載の液晶駆動装置は、複数の走査ラインおよび信号ラインの交点近傍に、マトリクス状に配列された複数の液晶画素を有する液晶表示パネルに画像を表示するための駆動信号を送出する液晶駆動装置において、前記液晶駆動装置は、所定のスタート信号を順次シフトして、所定のタイミングで前記走査ラインに印加される走査信号の元となる選択信号を生成、出力するシフトレジスタと、前記シフトレジスタから出力される前記選択信号を、第１の制御信号に基づいて、前記液晶表示パネルを水平方向に上下に分割した上側の第１の表示領域の前記走査ラインに前記走査信号として印加する第１のゲート回路と、を有して構成される第１の駆動信号生成手段と、前記シフトレジスタと、前記シフトレジスタから出力される前記選択信号を、第２の制御信号に基づいて、前記液晶表示パネルを水平方向に上下に分割した下側の第２の表示領域の前記走査ラインに前記走査信号として印加する第２のゲート回路と、を有して構成される第２の駆動信号生成手段と、を備え、前記第２の表示領域に前記画像の一部分を表示するために前記走査信号を印加しつつ、前記第１の表示領域に含まれ、かつ、前記画像が表示されない領域に、予め設定された帯画像を表示するための前記選択信号を前記第１のゲート回路に、前記第１の制御信号によって、前記走査ラインには前記走査信号を出力しない状態で出力することを特徴としている。
【００３１】
すなわち、第１の駆動信号生成手段により液晶表示パネルの第１の表示領域の走査ラインに駆動信号（走査信号）が印加され、また、第２の駆動信号生成手段により液晶表示パネルの第２の表示領域の走査ラインに駆動信号が印加されるので、液晶表示パネルの第１の表示領域と第２の表示領域が個別に表示制御される。
したがって、液晶表示パネルの表示画面と異なるアスペクト比を有する画像、たとえば、ワイド画像を表示する場合に、ワイド画像の上方および下方に表示される黒帯画像のゲートラインへの選択信号を準備する動作を、ワイド画像のゲートラインを選択、走査する動作と時間的に重ねて実行することができる。
【００３３】
また、第１の駆動信号生成手段および第２の駆動信号生成手段により、各々異なる制御信号（出力イネーブル信号）に基づいて、走査ラインに駆動信号が印加され、液晶表示パネルが、第１の表示領域と第２の表示領域に分割して個別に表示制御される。したがって、例えば、既存のゲート回路を２グループに分割し、各々のグループのゲート回路の動作を個別の制御信号により制御するという簡易な構成で、液晶表示パネルを第１の表示領域と第２の表示領域に２分割して個別に表示制御することができる。
【００３４】
したがって、第１の表示領域または第２の表示領域の一方の領域に表示されるワイド画像のゲートラインを選択、走査する動作と同時に、他方の領域に表示される黒帯画像のゲートラインへの選択信号を準備する動作を実行することができ、黒帯画像のみを選択する動作（帰線期間中のシフト動作）の回数を、実質的に削減することができる。
【００３５】
請求項２記載の液晶駆動装置は、請求項１に記載の液晶駆動装置において、前記液晶表示パネルは、３：４のアスペクト比を有し、前記液晶表示パネルに表示される前記画像は、９：１６のアスペクト比を有していることを特徴としている。
すなわち、液晶表示パネルは、ＮＴＳＣ方式に対応したアスペクト比を有し、該液晶表示パネルに、液晶表示パネルとは異なるアスペクト比を有する、いわゆるワイド画像が表示制御される。
したがって、上記各構成が、ＮＴＳＣ方式に対応した３：４のアスペクト比を有する液晶表示パネルに、９：１６のアスペクト比を有するワイド画像を表示制御する場合にも良好に適用される。
【００３６】
請求項３記載の液晶駆動装置の駆動方法は、複数の走査ラインおよび信号ラインの交点近傍に、マトリクス状に配列された複数の液晶画素を有する液晶表示パネルに画像を表示するための駆動信号を送出する液晶駆動装置の駆動方法において、前記液晶表示パネルを水平方向に上下に分割した第１の表示領域または第２の表示領域のいずれか一方の領域に前記画像の一部分を表示するための走査をするステップと、前記走査をするステップと同時に、前記第１の表示領域または第２の表示領域の他方の領域に含まれ、かつ、前記画像が表示されない領域に、予め設定された帯画像を表示するための選択信号を準備するステップと、前記選択信号に基づいて、前記帯画像を表示するための走査をするステップと、を有することを特徴としている。
【００３７】
すなわち、液晶表示パネルの表示画面サイズと異なるアスペクト比を有する画像、たとえば、ワイド画像を表示する場合に、液晶表示パネルの第１の表示領域と第２の表示領域が個別に表示制御され、ワイド画像の一部を表示する動作を行うと同時に、ワイド画像の上方および下方に表示される黒帯画像を表示する準備動作が実行される。
したがって、ワイド画像の一部のゲートラインを選択、走査する動作と同時に、黒帯画像のゲートラインへの選択信号を準備する動作を実行することができ、黒帯画像のみを選択する動作（帰線期間中のシフト動作）の回数を、実質的に削減することができる。
【００３８】
【発明の実施の形態】
以下、本発明に係る表示駆動装置の実施の形態について、図面を参照しながら説明する。
まず、本発明に係る液晶駆動装置が適用される液晶表示装置について説明する。
図１は、本発明に係る液晶駆動装置が適用される液晶表示装置の全体構成を示す概略構成図である。なお、ここでは、液晶表示装置の一例として、アクティブマトリックス型の液晶表示パネルを用いた液晶表示装置について説明し、上述した従来技術（図７）と同等の構成については、その説明を簡略化する。
【００３９】
図１に示すように、本発明に係る液晶駆動装置が適用される液晶表示装置は、大別して、液晶表示パネル１０と、ソースドライバ２０と、ゲートドライバ３０と、ＬＣＤコントローラ４０と、システムコントロールＩＣ５０と、デジタル−アナログ変換器（以下、Ｄ／Ａ変換器と記す）６０とを有して構成されている。液晶表示パネル１０は、図７に示した構成と同様に、行方向に延伸する複数のゲートライン（走査ライン）と列方向に延伸する信号ラインの交点に、マトリクス状に配列された複数の液晶画素を備え、ソースドライバ２０およびゲートドライバ３０により選択される液晶画素に、画像信号に基づく信号電圧を印加することにより所定の画像情報を表示出力する。
ここで、本実施形態に適用される液晶表示パネル１０は、たとえば、ＮＴＳＣ方式に対応したアスペクト比３：４を有している。
【００４０】
ソースドライバ２０は、図７に示した構成と同様に、サンプルホールド回路２２と、シフトレジスタ２１とを有して構成され、後述するＬＣＤコントローラ４０から供給される水平制御信号に基づいて、アナログＲＧＢ信号（ＲＧＢ画像信号）に対応する信号電圧を信号ラインＬｄに供給する。
また、ゲートドライバ３０は、図７に示した構成と略同様に、シフトレジスタ３１と、バッファ３２とを有して構成され、ＬＣＤコントローラ４０から供給される垂直制御信号に基づいて、各ゲートラインＬｇに走査信号を順次印加して選択状態とし、上記信号ラインＬｄと交差する位置に配置された液晶画素に、上記信号ラインにＬｄ供給された信号電圧を印加する。なお、ゲートドライバの具体的な構成については、後述する。
【００４１】
ＬＣＤコントローラ４０は、後述するシステムコントロールＩＣ５０から供給される水平同期信号ＨＤ、垂直同期信号ＶＤおよびシステムクロックＳＹＳＣＫに基づいて水平制御信号や垂直制御信号を生成し、ソースドライバ２０およびゲートドライバ３０に各々供給することにより、所定のタイミングで液晶画素に信号電圧を印加して、液晶表示パネル１０に所望の画像情報を表示させる制御を行う。
【００４２】
システムコントロールＩＣ５０は、システムクロックＳＹＳＣＫをソースドライバ２０、ＬＣＤコントローラ４０、Ｄ／Ａ変換器６０等に供給するとともに、このシステムクロックＳＹＳＣＫに同期した水平同期信号ＨＤ、垂直同期信号ＶＤをＬＣＤコントローラ４０に供給する。また、液晶表示装置の外部から供給されるデジタルＲＧＢ信号からなるビデオ信号を、Ｄ／Ａ変換器６０を介してアナログＲＧＢ信号（ＲＧＢ画像信号）に変換してソースドライバ２０に出力する。
【００４３】
次に、本実施形態に適用されるゲートドライバの具体的な構成について、図面を参照して説明する。
図２は、本実施形態に係る液晶駆動装置に適用されるゲートドライバを示す要部構成図である。ここで、従来技術（図８）と同等の構成については、同一の符号を付して、その説明を簡略化する。
【００４４】
図２に示すように、本実施形態に係るゲートドライバ３０は、直列に接続され、共通のゲートパルスクロックＧＰＣＫが入力されることにより、ゲートスタート信号ＧＳＲＴを順次シフトさせつつ、各ゲートライン毎に選択信号（シフトパルス信号）を出力する複数のフリップフロップ回路Ｆ／Ｆ１、Ｆ／Ｆ２、・・・Ｆ／Ｆ２４０と、出力イネーブル信号ＧＲＥＳ１に基づいて、各ゲートラインＸ１〜Ｘ１２０への選択信号の印加状態を制御する複数の論理ゲート（ＡＮＤゲート）ＡＮＤ１、ＡＮＤ２、・・・ＡＮＤ１２０と、出力イネーブル信号ＧＲＥＳ２に基づいて、各ゲートラインＸ１２１〜Ｘ２４０への選択信号の印加状態を制御する複数の論理ゲートＡＮＤ１２１、ＡＮＤ１２２、・・・ＡＮＤ２４０と、を備えた構成を有している。なお、ＲＥＳＥＴは、各フリップフロップ回路Ｆ／Ｆ１、Ｆ／Ｆ２、・・・、Ｆ／Ｆ２４０に保持されている信号を一斉にリセット動作させるための共通のリセット信号である。
【００４５】
すなわち、各フリップフロップ回路Ｆ／Ｆ１、Ｆ／Ｆ２、・・・、Ｆ／Ｆ２４０の出力が、各々論理ゲートＡＮＤ１、ＡＮＤ２、・・・、ＡＮＤ２４０の一方の入力に接続されるとともに、出力イネーブル信号ＧＲＥＳ１が、論理ゲートＡＮＤ１、ＡＮＤ２、・・・、ＡＮＤ１２０の他方の入力に接続されることにより、液晶表示パネルの上側半分の表示領域（上部表示領域）に形成されたゲートラインＸ１〜Ｘ１２０に走査信号が印加され、また、出力イネーブル信号ＧＲＥＳ２が、論理ゲートＡＮＤ１２１、ＡＮＤ１２２、・・・、ＡＮＤ２４０の他方の入力に接続されることにより、液晶表示パネルの下側半分の表示領域（下部表示領域）に形成されたゲートラインＸ１２１〜Ｘ２４０に走査信号が印加される。
【００４６】
よって、フリップフロップ回路Ｆ／Ｆ１、Ｆ／Ｆ２、・・・、Ｆ／Ｆ１２０（シフトレジスタ）および論理ゲートＡＮＤ１、ＡＮＤ２、・・・、ＡＮＤ１２０（第１のゲート回路）は、第１の駆動信号生成手段を構成し、フリップフロップ回路Ｆ／Ｆ１２１、Ｆ／Ｆ１２２、・・・、Ｆ／Ｆ２４０（シフトレジスタ）および論理ゲートＡＮＤ１２１、ＡＮＤ１２２、・・・、ＡＮＤ２４０（第２のゲート回路）は、第２の駆動信号生成手段を構成する。なお、本実施形態における液晶表示パネルの表示領域の設定については、後述する。
【００４７】
ここで、図示を省略したが、シフトレジスタを構成する複数のフリップフロップ回路Ｆ／Ｆ１、Ｆ／Ｆ２、・・・Ｆ／Ｆ２４０は、従来技術と同様に、順方向にゲートスタート信号ＧＳＲＴをシフトする機能、および、逆方向にゲートスタート信号ＧＳＲＴをシフトする機能を備え、画像の表示駆動処理中に適宜切り換え制御される。
また、本実施形態に係るゲートドライバに供給されるゲートスタート信号ＧＳＲＴ、ゲートクロック信号ＧＰＣＫ、および、出力イネーブル信号ＧＲＥＳ１、ＧＲＥＳ２は、いずれもＬＣＤコントローラ４０により生成される垂直制御信号である。
【００４８】
次に、上述したゲートドライバにより設定される液晶表示パネルの表示領域設定について、図面を参照して説明する。
図３は、本実施形態に係るゲートドライバにより設定される液晶表示パネルの表示領域設定を示す概略図である。ここでは、上述したゲートドライバの構成（図２）を参照して説明する。
【００４９】
上述したゲートドライバ３０においては、単一のシフトレジスタ（フリップフロップ回路Ｆ／Ｆ１、Ｆ／Ｆ２、・・・Ｆ／Ｆ２４０）により順次シフトされて出力される選択信号が、論理ゲートＡＮＤ１〜ＡＮＤ１２０および論理ゲートＡＮＤ１２１〜ＡＮＤ２４０からなる２組の論理ゲートグループにより、ゲートラインＸ１〜Ｘ１２０およびゲートラインＸ１２１〜Ｘ２４０に個別に印加制御される構成を有しているので、図３に示すように、液晶表示パネルが、ゲートラインＸ１〜Ｘ１２０からなる上側半分の表示領域（上部表示領域）Ｒｕと、ゲートラインＸ１２１〜Ｘ２４０からなる下側半分の表示領域（下部表示領域）Ｒｄとに２分割されて、表示駆動処理が実行される。
【００５０】
ここで、液晶表示パネルが、上述した従来技術と同様に、ＮＴＳＣ方式に対応したアスペクト比３：４を有し、９：１６のアスペクト比を有するワイド画像Ｇｗを表示する場合にあっては、ワイド画像Ｇｗは、アスペクト比９：１６を保持したまま、液晶表示パネル１０の画面幅に合わせて画像サイズが圧縮され、上部表示領域Ｒｕおよび下部表示領域ＲｄにまたがるゲートラインＸ３１〜Ｘ２１０からなる画面の中央領域に表示される。
【００５１】
一方、ワイド画像Ｇｗの上方および下方の上部黒帯Ｂｕおよび下部黒帯Ｂｄは、各々上部表示領域Ｒｕに含まれるゲートラインＸ１〜Ｘ３０および下部表示領域Ｒｄに含まれるゲートラインＸ２１１〜Ｘ２４０からなる帯状の領域に表示される。
すなわち、ゲートラインＸ３１〜Ｘ２１０の１８０ラインからなる領域に表示されるワイド画像Ｇｗは、出力イネーブル信号ＧＲＥＳ１、ＧＲＥＳ２の双方を制御することにより表示駆動され、また、ゲートラインＸ１〜Ｘ３０の３０ラインからなる領域に表示される上部黒帯Ｂｕは、出力イネーブル信号ＧＲＥＳ１により表示駆動され、ゲートラインＸ２１１〜Ｘ２４０の３０ラインからなる領域に表示される下部黒帯Ｂｄは、出力イネーブル信号ＧＲＥＳ２により表示駆動される。
【００５２】
このような構成を有するゲートドライバを適用した液晶表示装置によれば、液晶表示パネルの表示領域を、上部表示領域と下部表示領域に２分割するように、各々の領域に対応させて論理ゲートを分割し、異なる出力イネーブル信号を入力することにより、液晶表示パネルの上部表示領域と下部表示領域を個別に表示制御することができる。
したがって、後述するように、ワイド画像Ｇｗを表示した場合に、上部黒帯Ｂｕ領域および下部黒帯Ｂｄ領域のゲートラインへの選択信号を各論理ゲートに出力する処理を、部分的にワイド画像Ｇｗのゲートラインを選択、走査する処理と時間的に重ねて（同時に）実行することができるので、帰線期間内における黒帯領域のゲートラインの選択、走査処理回数を削減することができ、ゲートドライバにおけるシフト動作に要するシフトクロックの回数を削減することができる。
【００５３】
次に、本実施形態に係るゲートドライバを適用した液晶表示装置の表示駆動方法について、図面を参照して説明する。図４は、本実施形態に係る液晶表示装置において、アスペクト比３：４の液晶表示パネルに、アスペクト比９：１６のワイド画像を表示する場合の、画面走査ステップＳ１１〜Ｓ１３における画面走査状態を模式的に示した概略図であり、図５は、画面走査ステップＳ１４〜Ｓ１７における画面走査状態を模式的に示した概略図である。ここでは、上述したゲートドライバの構成（図２）を、適宜参照しながら説明する。
【００５４】
＜ステップＳ１１＞
上述したような構成を有するゲートドライバ３０において、まず、出力イネーブル信号ＧＲＥＳ１、ＧＲＥＳ２をアクティブレベル（ローレベル）に切り換え、保持した状態で、フリップフロップ回路Ｆ／Ｆ１の入力端子ＩＮにゲートスタート信号ＧＳＲＴを入力し、フリップフロップ回路Ｆ／Ｆ１、Ｆ／Ｆ２、・・・により、ゲートパルスクロックＧＰＣＫのタイミングに基づいて順次シフトしつつ、選択信号を各論理ゲートＡＮＤ１、ＡＮＤ２、・・・に出力して、図４（ａ）、（ｂ）に示すように、ゲートラインＸ１からＸ３１までを順次選択状態に準備する。ここで、出力イネーブル信号ＧＲＥＳ１は上述のように、アクティブレベル（ローレベル）なので、ゲートラインＸ１からＸ３１に走査信号は出力されていない。ここで、ステップＳ１１において、選択信号を出力するためにフリップフロップ回路Ｆ／Ｆ１、Ｆ／Ｆ２、・・・により実行されるシフト動作は３１回になる。
【００５５】
＜ステップＳ１２＞
次いで、ゲートラインＸ３１を走査するタイミングで、出力イネーブル信号ＧＲＥＳ１をオフレベル（ハイレベル）に切り換えるとともに、ソースドライバ２０を介して、アスペクト比９：１６の画像信号に基づく信号電圧を各信号ラインに印加する。
これにより、論理ゲートＡＮＤ３１から走査信号がゲートラインＸ３１に印加され、信号ラインに印加された信号電圧が、ゲートラインＸ３１に接続された液晶画素に供給され、ワイド画像Ｇｗの最上位行（第１行）の画像信号が書き込まれ表示される。
【００５６】
そして、出力イネーブル信号ＧＲＥＳ１をオフレベル（ハイレベル）に保持した状態で、ゲートラインＸ３１から上部表示領域が終了するＸ１２０までを順方向に順次シフトしながら選択して走査信号を印加しつつ、ソースドライバ２０により各ゲートライン毎に画像信号に基づく信号電圧を印加することにより、図４（ｃ）に示すように、ワイド画像Ｇｗの上側半分の画像を順次表示する。
【００５７】
＜ステップＳ１３＞
次いで、ゲートラインＸ１２１が選択状態になるタイミングで、出力イネーブル信号ＧＲＥＳ１をアクティブレベル（ローレベル）に切り換えるとともに、出力イネーブル信号ＧＲＥＳ２をオフレベル（ハイレベル）に切り換え、保持した状態で、Ｘ１２１以降のゲートラインを引き続き順方向に順次シフトしながら選択して走査信号を印加することにより、図４（ｄ）に示すように、ワイド画像Ｇｗの下側半分の画像を順次表示する。
【００５８】
そして、ワイド画像Ｇｗの下側半分の画像の最下位行（第１８０行）であるゲートラインＸ２１０よりも３０ライン上方のゲートラインＸ１８１が選択状態になるタイミングで、１ラインおきにフリップフロップ回路Ｆ／Ｆ１の入力端子ＩＮにゲートスタート信号ＧＳＲＴを入力し、ゲートラインＸ１８１以降を選択する動作に同期して、フリップフロップ回路Ｆ／Ｆ１、Ｆ／Ｆ２、・・・により順次シフトして、１ラインおきに選択信号を論理ゲートＡＮＤ１、ＡＮＤ３、・・・に出力し、図４（ｄ）に示すように、ゲートラインＸ１からＸ３０までの奇数ライン（Ｘ１、Ｘ３、Ｘ５、・・・、Ｘ２９の１５本）のみを選択状態に準備する。ここで、出力イネーブル信号ＧＲＥＳ１は上述のように、アクティブレベル（ローレベル）なので、ゲートラインＸ１からＸ３１に走査信号は出力されていない。
【００５９】
＜ステップＳ１４＞
次いで、ゲートラインＸ２１１を走査するタイミングで、出力イネーブル信号ＧＲＥＳ１をオフレベル（ハイレベル）に切り換えるとともに、出力イネーブル信号ＧＲＥＳ２をアクティブレベル（ローレベル）に切り換え、保持することにより、図５（ａ）に示すように、上記ステップＳ１３において選択状態に準備されたゲートラインＸ１からＸ２９（Ｘ１、Ｘ３、Ｘ５、・・・、Ｘ２９までの１５本）に走査信号を印加するとともに、ソースドライバ１２０を介して、上部黒帯Ｂｕの画像信号（黒色信号）に基づく信号電圧を各信号ラインに印加する。
これにより、ゲートラインＸ１からＸ３０までの上部黒帯Ｂｕ領域において、奇数ラインに接続された液晶画素に黒データが書き込まれる。
【００６０】
＜ステップＳ１５＞
次いで、出力イネーブル信号ＧＲＥＳ１をオフレベル（ハイレベル）に保持した状態で、ゲートラインＸ１からＸ３０までの奇数ライン（Ｘ１、Ｘ３、Ｘ５、・・・、Ｘ２９）に対して、フリップフロップ回路Ｆ／Ｆ１、Ｆ／Ｆ２、・・・を逆方向に一括して１回シフトすることにより、図５（ｂ）に示すように、ゲートラインＸ１からＸ３０までの偶数ライン（Ｘ２、Ｘ４、Ｘ６、・・・、Ｘ３０の１５本）のみを選択して、走査信号を印加するとともに、ソースドライバ２０を介して、上部黒帯Ｂｕの画像信号（黒色信号）に基づく信号電圧を各信号ラインに印加する。
【００６１】
これにより、ゲートラインＸ１からＸ３０までの上部黒帯Ｂｕ領域において、偶数ラインに接続された液晶画素に黒データが書き込まれる。ここで、ステップＳ１５において、このゲートラインＸ１からＸ３０までの上部黒帯Ｂｕ領域において選択されるゲートラインは、偶数ラインの１５本であるが、選択信号を出力するためにフリップフロップ回路Ｆ／Ｆ１、Ｆ／Ｆ２、・・・により実行されるシフト動作は１回のみとなる。
【００６２】
したがって、上述した奇数ラインの１５本に加えて、偶数ラインの１５本のゲートラインにも黒データが書き込まれることになるので、液晶表示パネル１０の上部黒帯Ｂｕ領域の全域（ゲートラインＸ１からＸ３０）が黒表示される。
そして、ワイド画像Ｇｗおよび上部黒帯Ｂｕの表示が終了したタイミングで、フリップフロップ回路Ｆ／Ｆ１、Ｆ／Ｆ２、・・・にリセット信号ＲＥＳＥＴを入力することにより、シフト動作をリセットする
【００６３】
＜ステップＳ１６＞
次いで、出力イネーブル信号ＧＲＥＳ１をアクティブレベル（ローレベル）に切り換えるとともに、出力イネーブル信号ＧＲＥＳ２をオフレベル（ハイレベル）に切り換え、保持した状態で、ゲートパルスクロックＧＰＣＫの１ラインおきのタイミングで、フリップフロップ回路Ｆ／Ｆ２４０の入力端子ＩＮにゲートスタート信号ＧＳＲＴを入力し、フリップフロップ回路Ｆ／Ｆ２４０、Ｆ／Ｆ２３９、・・・により、ゲートパルスクロックＧＰＣＫのタイミングに基づいて逆方向に順次シフトして、１ラインおきに選択信号を論理ゲートＡＮＤ２３９、ＡＮＤ２３７、・・・に出力して、図５（ｃ）に示すように、ゲートラインＸ２４０からＸ２１１までの奇数ライン（Ｘ２３９、Ｘ２３７、Ｘ２３５、・・・、Ｘ２１１の１５本）のみを選択して、走査信号を印加するとともに、ソースドライバ２０を介して、下部黒帯Ｂｄの画像信号（黒色信号）に基づく信号電圧を各信号ラインに印加する。
【００６４】
これにより、ゲートラインＸ２１１からＸ２４０までの下部黒帯Ｂｄ領域において、奇数ラインに接続された液晶画素に黒データが書き込まれる。ここで、ステップＳ１６において、このゲートラインＸ２１１からＸ２４０までの下部黒帯Ｂｄ領域において選択されるゲートラインは、奇数ラインの１５本のみであるが、選択信号を出力するためにフリップフロップ回路Ｆ／Ｆ２４０、Ｆ／Ｆ２３９、・・・により実行されるシフト動作は３０回になる。
【００６５】
＜ステップＳ１７＞
次いで、出力イネーブル信号ＧＲＥＳ１をアクティブレベル（ローレベル）に保持するとともに、出力イネーブル信号ＧＲＥＳ２をオフレベル（ハイレベル）に保持した状態で、ゲートラインＸ２４０からＸ２１１までの奇数ライン（Ｘ２３９、Ｘ２３７、Ｘ２３５、・・・、Ｘ２１１）に対して、フリップフロップ回路Ｆ／Ｆ２４０、Ｆ／Ｆ２３９、・・・を順方向に一括して１回シフトすることにより、図５（ｄ）に示すように、ゲートラインＸ２１１からＸ２４０までの偶数ライン（Ｘ２１２、Ｘ２１４、Ｘ２１６、・・・、Ｘ２４０の１５本）のみを選択して、走査信号を印加するとともに、ソースドライバ１２０を介して、下部黒帯Ｂｄの画像信号（黒色信号）に基づく信号電圧を各信号ラインに印加する。
【００６６】
これにより、ゲートラインＸ２１１からＸ２４０までの下部黒帯Ｂｄ領域において、偶数ラインに接続された液晶画素に黒データが書き込まれる。ここで、ステップＳ１７において、このゲートラインＸ２１１からＸ２４０までの下部黒帯Ｂｄ領域において選択されるゲートラインは、偶数ラインの１５本であるが、選択信号を出力するためにフリップフロップ回路Ｆ／Ｆ２１１、Ｆ／Ｆ２１２、・・・により実行されるシフト動作は１回のみとなる。
【００６７】
したがって、上述した奇数ラインの１５本に加えて、偶数ラインの１５本のゲートラインにも黒データが書き込まれることになるので、液晶表示パネル１０の下部黒帯Ｂｄの全域（ゲートラインＸ２１１からＸ２４０）が黒表示される。
そして、偶数ラインに接続された液晶画素に黒データが書き込まれたタイミングで、出力イネーブル信号ＧＲＥＳ１、ＧＲＥＳ２をともにアクティブレベル（ローレベル）に切り換えることにより、各ゲートラインへの走査信号の印加を遮断して選択状態をリセットする。
【００６８】
以上の一連の表示駆動処理Ｓ１１〜Ｓ１７は所定の期間を一周期として繰り返し実行されるが、上記表示駆動処理のうち、ワイド画像Ｇｗが表示されない帰線期間中に、上部黒帯Ｂｕおよび下部黒帯Ｂｄの黒帯表示が行われる。なお、一連の表示駆動処理において、ステップＳ１１においてゲートラインＸ１を選択状態に準備する際のシフト動作と、ステップＳ１７においてゲートラインＸ２１１からＸ２４０の偶数ラインを選択する際のシフト動作とは、同時に行うことができる。
【００６９】
したがって、上述した一連の表示駆動処理において、ステップＳ１１におけるシフト動作と、ステップＳ１７におけるシフト動作を同時に行った場合、帰線期間中に上部黒帯Ｂｕおよび下部黒帯Ｂｄのゲートラインを表示駆動するために必要となるシフト動作は、６２回（＝１＋３０＋１＋３０）となり、従来技術に示した表示駆動処理に対して、大幅にゲートパルスクロックＧＰＣＫ（シフトクロック）の数を削減することができる。
【００７０】
本実施形態に係る液晶駆動装置およびその駆動方法によれば、３：４のアスペクト比を有する液晶表示パネルに、９：１６のアスペクト比を有するワイド画像を表示した場合に、上部表示領域または下部表示領域のいずれか一方の領域にワイド画像を表示する際に、他方の表示領域に含まれる上部黒帯Ｂｕまたは下部黒帯Ｂｄを黒色表示することができるので、黒帯領域のゲートラインへの選択信号を各論理ゲートに出力する処理を、部分的にワイド画像のゲートラインを選択、走査する処理と時間的に重ねて（同時に）実行することができ、帰線期間内における黒帯領域のゲートラインの選択、走査処理回数（シフト回数）を削減して、ゲートドライバにおいて実行される動作に要するシフトクロックの回数を削減することができる。
【００７１】
したがって、ゲートドライバに供給されるシフトクロックの周波数を低く設定することができるので、従来技術に示したように、クロックラインのインピーダンスを低くするために、クロックラインの配線幅を大きく（太く）する必要がなく、走査ドライバの集積化に際し、装置規模を十分に小型化することができる。また、シフトクロックの周波数を低減することができるので、シフトクロックを出力するためのバッファ回路を小型化することができるとともに、消費電力の低減を図ることができる。
なお、上述した実施形態においては、３：４の画面比率を有する液晶表示パネルに、９：１６の比率を有するワイド画像を表示する場合について説明したが、本発明は、これに限定されるものではなく、要するに、液晶表示パネルの画面比率と異なる比率を有する画像を表示する場合にも良好に適用することができることはいうまでもない。
【００７２】
【発明の効果】
請求項１または３記載の発明によれば、液晶表示パネルに、該液晶表示パネルの表示画面サイズと異なるアスペクト比を有する画像、たとえば、ワイド画像を表示するための駆動信号を送出する液晶駆動装置またはその駆動方法において、個別の駆動信号生成手段により液晶表示パネルの第１の表示領域及び第２の表示領域の走査ラインに駆動信号（走査信号）が印加されることにより、液晶表示パネルの第１の表示領域と第２の表示領域が個別に表示制御されるので、例えば、液晶表示パネルにワイド画像を表示した場合に、ワイド画像の上方および下方に表示される黒帯画像のゲートラインへの選択信号を各論理ゲートに出力する動作を、ワイド画像のゲートラインを選択、走査する動作と時間的に重ねて実行することができる。
【００７３】
したがって、黒帯領域の走査ラインの選択、走査処理回数（帰線期間中のシフト回数）を大幅に削減して、シフト動作に要するシフトクロックの周波数を低く設定することができるので、クロックラインのインピーダンスを低くするために、クロックラインの配線幅を大きく（太く）する必要がなく、また、シフトクロックを出力するためのバッファ回路を小型化して、液晶駆動装置の集積化に際し、装置規模を十分に小型化することができるとともに、消費電力の低減を図ることができる。
【００７４】
また、各々異なる制御信号（出力イネーブル信号）に基づいて、液晶表示パネルの第１の表示領域および第２の表示領域の走査ラインに駆動信号（走査信号）を印加する構成を有しているので、例えば、既存のゲート回路を２グループに分割し、各々のグループのゲート回路の動作を個別の制御信号により制御するという簡易な構成で、液晶表示パネルを第１の表示領域と第２の表示領域に２分割して個別に表示制御することができる。
【００７５】
したがって、第１の表示領域または第２の表示領域の一方の領域に表示されるワイド画像のゲートラインを選択、走査する動作と同時に、他方の領域に表示される黒帯画像のゲートラインへの選択信号を各論理ゲートに出力する動作を実行することができ、黒帯画像のみを選択する動作（帰線期間中のシフト動作）の回数を、実質的に削減することができる。
【００７６】
請求項２記載の発明によれば、液晶表示パネルは、３：４のアスペクト比を有し、該液晶表示パネルに９：１６のアスペクト比を有する画像が表示制御されるので、上記各請求項の構成が、ＮＴＳＣ方式に対応したアスペクト比を有する既存の液晶表示パネルに、ワイド画像および黒帯画像を良好に表示制御することができる。
【図面の簡単な説明】
【図１】  本発明に係る液晶駆動装置が適用される液晶表示装置の全体構成を示す概略構成図である。
【図２】  本実施形態に係る液晶駆動装置に適用されるゲートドライバを示す要部構成図である。
【図３】  本実施形態に係るゲートドライバにより設定される液晶表示パネルの表示領域設定を示す概略図である。
【図４】  本実施形態に係る液晶表示装置の表示駆動処理において、アスペクト比３：４の液晶表示パネルに、アスペクト比９：１６のワイド画像を表示する場合の、画面走査ステップＳ１１〜Ｓ１３における画面走査状態を模式的に示した概略図である。
【図５】  本実施形態に係る液晶表示装置の表示駆動処理において、アスペクト比３：４の液晶表示パネルに、アスペクト比９：１６のワイド画像を表示する場合の、画面走査ステップＳ１４〜Ｓ１７における画面走査状態を模式的に示した概略図である。
【図６】  アスペクト比９：１６を有するワイド画像を、アスペクト比３：４を有する液晶表示パネルに表示する場合の表示領域設定を示す概略図である。
【図７】  液晶表示パネルを表示駆動するための液晶駆動装置の要部構成を示す概略構成図である。
【図８】  従来の液晶駆動装置に適用されるゲートドライバを示す要部構成図である。
【図９】  アスペクト比３：４の液晶表示パネルに、アスペクト比９：１６のワイド画像を表示する場合の、従来の画面走査ステップＳ１０１〜Ｓ１０３における画面走査状態を模式的に示した概略図である。
【図１０】  アスペクト比３：４の液晶表示パネルに、アスペクト比９：１６のワイド画像を表示する場合の、従来の画面走査ステップＳ１０４〜Ｓ１０６における画面走査状態を模式的に示した概略図である。
【図１】
0003804853.tif 000002
【図２】
0003804853.tif 000003
【図３】
0003804853.tif 000004
【図４】
0003804853.tif 000005
【図５】
0003804853.tif 000006
【図６】
0003804853.tif 000007
【図７】
0003804853.tif 000008
【図８】
0003804853.tif 000009
【図９】
0003804853.tif 000010
【図１０】
0003804853.tif 000011